(57)【要約】【課題】施工性の低下を抑制しつつ、交流機器及び直流機器の双方に電力を分電することができる住宅用分電盤を提供する。【解決手段】商用交流電源２から供給される交流電力を複数のＡＣ機器６に分電するＡＣ分電盤１１と、商用交流電源２からの交流電力を直流電力に変換するＡＣ／ＤＣコンバータ４９と、ＡＣ／ＤＣコンバータ４９によって変換された直流電力を複数のＤＣ機器５に分電するＤＣ分電盤８と、ＡＣ分電盤１１、ＤＣ分電盤８、及びＡＣ／ＤＣコンバータ４９が内装される箱体４３とを備え、ＡＣ分電盤１１及びＤＣ分電盤８は、箱体４３が屋内に設置された状態において、ＡＣ／ＤＣコンバータ４９よりも上方に配置される。【選択図】図２
2011101528.tif 000002
【特許請求の範囲】
【請求項１】
交流電源から供給される交流電力を複数の交流機器に分電する交流電力分電手段と、
前記交流電源からの交流電力を直流電力に変換する電力変換手段と、
前記電力変換手段によって変換された直流電力を複数の直流機器に分電する直流電力分電手段と、
前記各電力分電手段及び前記電力変換手段が内装される箱体と
を備え、
前記交流電力分電手段及び前記直流電力分電手段は、前記箱体が屋内に設置された状態において、前記電力変換手段よりも上方に配置されることを特徴とする住宅用分電盤。
【請求項２】
請求項１に記載の住宅用分電盤において、
前記各電力分電手段は、各々が対応する二次側電力線に対して接続される接続端子が前記箱体内における前記各電力分電手段の配置領域内の上部に位置することを特徴とする住宅用分電盤。
【請求項３】
請求項１又は請求項２に記載の住宅用分電盤において、
前記箱体内において前記電力変換手段と前記直流電力分電手段との間に配置され、前記電力変換手段によって変換された直流電力の電力量を調整する電力量調整手段を更に備え、
前記電力量調整手段は、前記箱体内における前記各電力分電手段の配置領域よりも下方に配置されることを特徴とする住宅用分電盤。
【請求項４】
請求項１〜請求項３のうち何れか一項に記載の住宅用分電盤において、
前記交流電力分電手段は、前記交流電源からの交流電力を導電可能な交流用導電バーと、前記複数の交流機器毎に個別に対応するように設けられ且つ前記交流電源側から前記交流機器側への電力の供給を遮断可能な複数の交流用分岐ブレーカとを含んで構成され、
前記箱体内には前記交流用導電バーが水平方向に沿って延びるように配設され、
該交流用導電バーに対して、前記複数の交流用分岐ブレーカが上方側から接続される一方、前記電力変換手段が下方側から接続されることを特徴とする住宅用分電盤。
【請求項５】
請求項１〜請求項４のうち何れか一項に記載の住宅用分電盤において、
前記直流電力分電手段は、前記電力変換手段によって変換された直流電力を導電可能な直流用導電バーと、前記複数の直流機器毎に個別に対応するように設けられ且つ前記交流電源側から前記直流機器側への電力の供給を遮断可能な複数の直流用分岐ブレーカとを含んで構成され、
前記箱体内には前記直流用導電バーが水平方向に沿って延びるように配設され、
該直流用導電バーに対して、前記複数の直流用分岐ブレーカが上方側から接続される一方、前記電力変換手段が下方側から接続されることを特徴とする住宅用分電盤。
【発明の詳細な説明】
【技術分野】
【０００１】
本発明は、屋内配線の分岐に用いる住宅用分電盤に関するものである。
【背景技術】
【０００２】
従来から、例えば特許文献１に記載されるように、交流電力を直流電力に変換可能な電力変換部を備えた分電盤が広く知られている。こうした分電盤では、商用交流電源から各種の交流機器に対して交流電力を複数の交流用分岐ブレーカ経由で供給するだけでなく、商用交流電源から供給される交流電力を電力変換部によって直流電力に変換して各種の直流機器に対して複数の直流用分岐ブレーカ経由で供給するようになっている。
【先行技術文献】
【特許文献】
【０００３】
【特許文献１】特開２００８−４２９９８号公報
【発明の概要】
【発明が解決しようとする課題】
【０００４】
ところで、住宅に設置される住宅用分電盤は、通常、屋内の壁面における天井近傍に施工される。この際、住宅用分電盤における各分岐ブレーカには、天井裏に配線された複数本の二次側電力線が各々接続される。ここで、住宅用分電盤における各分岐ブレーカに対する二次側電力線の接続作業は分岐ブレーカの設置数に等しい回数だけ必要となる。また、二次側電力線に対する分岐ブレーカの接続端子の位置次第では、分電盤内における他の構成要素の配置とも関連して二次側電力線の引き回しに工夫が必要となる。その結果、こうした二次側電力線を引き出して分電盤に接続する作業が煩雑となり、住宅用分電盤の施工性が低下してしまうという問題があった。
【０００５】
本発明は、このような事情に鑑みてなされたものであり、その目的は、施工性の低下を抑制しつつ、交流機器及び直流機器の双方に電力を分電することができる住宅用分電盤を提供することにある。
【課題を解決するための手段】
【０００６】
上記目的を達成するために、本発明の住宅用分電盤は、交流電源から供給される交流電力を複数の交流機器に分電する交流電力分電手段と、前記交流電源からの交流電力を直流電力に変換する電力変換手段と、前記電力変換手段によって変換された直流電力を複数の直流機器に分電する直流電力分電手段と、前記各電力分電手段及び前記電力変換手段が内装される箱体とを備え、前記交流電力分電手段及び前記直流電力分電手段は、前記箱体が屋内に設置された状態において、前記電力変換手段よりも上方に配置されることを要旨とする。
【０００７】
上記構成によれば、箱体が屋内の天井近傍に設置されると、交流電力分電手段及び直流電力分電手段と屋内の天井とが近接することとなる。そのため、交流機器側及び直流機器側から屋内の天井裏に配線される二次側電力線を天井から垂らせて交流電力分電手段及び直流電力分電手段に対して容易に接続させることができる。したがって、施工性の低下を抑制しつつ、交流機器及び直流機器の双方に電力を分電することができる。
【０００８】
また、本発明の住宅用分電盤において、前記各電力分電手段は、各々が対応する二次側電力線に対して接続される接続端子が前記箱体内における前記各電力分電手段の配置領域内の上部に位置することを要旨とする。
【０００９】
上記構成によれば、箱体が屋内の天井近傍に設置されると、各電力分電手段は、各々が対応する二次側電力線に対して接続される接続端子と屋内の天井とが近接することとなる。そのため、二次側電力線を天井から垂らせて各電力分電手段の接続端子に対して容易に接続させることができる。
【００１０】
また、本発明の住宅用分電盤は、前記箱体内において前記電力変換手段と前記直流電力分電手段との間に配置され、前記電力変換手段によって変換された直流電力の電力量を調整する電力量調整手段を更に備え、前記電力量調整手段は、前記箱体内における前記各電力分電手段の配置領域よりも下方に配置されることを要旨とする。
【００１１】
上記構成によれば、箱体が屋内の天井近傍に設置されると、箱体内において屋内の天井から離間する領域に電力量調整手段が配置されることとなる。そのため、箱体内において屋内の天井に近接する領域を交流電力分電手段及び直流電力分電手段の設置スペースとして活用することができる。
【００１２】
また、本発明の住宅用分電盤において、前記交流電力分電手段は、前記交流電源からの交流電力を導電可能な交流用導電バーと、前記複数の交流機器毎に個別に対応するように設けられ且つ前記交流電源側から前記交流機器側への電力の供給を遮断可能な複数の交流用分岐ブレーカとを含んで構成され、前記箱体内には前記交流用導電バーが水平方向に沿って延びるように配設され、該交流用導電バーに対して、前記複数の交流用分岐ブレーカが上方側から接続される一方、前記電力変換手段が下方側から接続されることを要旨とする。
【００１３】
上記構成によれば、交流電力分電手段は、交流機器側から延びる二次側電力線に対して接続される交流用分岐ブレーカが箱体内における電力変換手段の配置領域よりも上方側に配置される構成を簡便に実現することができる。
【００１４】
また、本発明の住宅用分電盤において、前記直流電力分電手段は、前記電力変換手段によって変換された直流電力を導電可能な直流用導電バーと、前記複数の直流機器毎に個別に対応するように設けられ且つ前記交流電源側から前記直流機器側への電力の供給を遮断可能な複数の直流用分岐ブレーカとを含んで構成され、前記箱体内には前記直流用導電バーが水平方向に沿って延びるように配設され、該直流用導電バーに対して、前記複数の直流用分岐ブレーカが上方側から接続される一方、前記電力変換手段が下方側から接続されることを要旨とする。
【００１５】
上記構成によれば、直流電力分電手段は、直流機器側から延びる二次側電力線に対して接続される直流用分岐ブレーカが箱体内における電力変換手段の配置領域よりも上方側に配置される構成を簡便に実現することができる。
【発明の効果】
【００１６】
本発明によれば、施工性の低下を抑制しつつ、交流機器及び直流機器の双方に電力を分電することができる。
【図面の簡単な説明】
【００１７】
【図１】本実施形態の電力供給システムのブロック図。
【図２】本実施形態の住宅用分電盤のブロック図。
【図３】（ａ）は二次側電力線を分岐ブレーカに接続する前の状態の比較例の住宅用分電盤を示す模式図、（ｂ）は二次側電力線を分岐ブレーカに接続した後の状態の比較例の住宅用分電盤を示す模式図。
【図４】（ａ）は二次側電力線を分岐ブレーカに接続する前の状態の本実施形態の住宅用分電盤を示す模式図、（ｂ）は二次側電力線を分岐ブレーカに接続した後の状態の本実施形態の住宅用分電盤を示す模式図。
【発明を実施するための形態】
【００１８】
以下、本発明に係る住宅用分電盤を具体化した実施形態について、図１及び図２を参照して説明する。
図１に示すように、住宅には、宅内に設置された各種機器（照明機器、エアコン、家電、オーディオビジュアル機器等）に電力を供給する電力供給システム１が設けられている。電力供給システム１は、家庭用の商用交流電源（ＡＣ電源）２を交流電源として各種機器を動作させる他に、太陽光により発電する発電手段としての太陽電池３の電力も各種機器に電源として供給する。電力供給システム１は、直流電源（ＤＣ電源）を入力して動作するＤＣ機器（直流機器）５の他に、交流電源（ＡＣ電源）を入力して動作するＡＣ機器（交流機器）６にも電力を供給する。
【００１９】
電力供給システム１には、同システム１の住宅用分電盤４２を構成する交流電力分電手段としてのＡＣ分電盤１１、コントロールユニット７、及び、直流電力分電手段としてのＤＣ分電盤８が設けられている。また、電力供給システム１には、住宅のＤＣ機器５の動作を制御する機器として制御ユニット９及びリレーユニット１０が設けられている。
【００２０】
コントロールユニット７には、交流電源を分岐させるＡＣ分電盤１１が交流系電力線１２を介して接続されている。コントロールユニット７は、このＡＣ分電盤１１を介して商用交流電源２に接続されるとともに、直流系電力線１３を介して太陽電池３に接続されている。コントロールユニット７は、ＡＣ分電盤１１から交流電力を取り込むとともに太陽電池３から直流電力を取り込み、これら電力を機器電源として所定の直流電力に変換する。そして、コントロールユニット７は、この変換後の直流電力を、直流系電力線１４を介してＤＣ分電盤８に出力したり、又は直流系電力線１５を介して蓄電池１６に出力して同電力を蓄電したりする。コントロールユニット７は、ＡＣ分電盤１１から交流電力を取り込むのみならず、太陽電池３や蓄電池１６の直流電力を交流電力に変換してＡＣ分電盤１１に供給することも可能である。コントロールユニット７は、信号線１７を介してＤＣ分電盤８とデータやり取りを実行する。
【００２１】
ＤＣ分電盤８は、直流電力対応の一種のブレーカである。ＤＣ分電盤８は、コントロールユニット７から入力した直流電力を分岐させ、その分岐後の直流電力を、直流系電力線１８を介して制御ユニット９に出力したり、直流系電力線１９を介してリレーユニット１０に出力したりする。また、ＤＣ分電盤８は、信号線２０を介して制御ユニット９とデータやり取りをしたり、信号線２１を介してリレーユニット１０とデータやり取りしたりする。
【００２２】
制御ユニット９には、複数のＤＣ機器５，５…が接続されている。これらＤＣ機器５は、直流電力及びデータの両方を１対の線によって搬送可能な直流供給線路２２を介して制御ユニット９と接続されている。直流供給線路２２は、ＤＣ機器の電源となる直流電圧に、高周波の搬送波によりデータを電送する通信信号を重畳する、いわゆる電力線搬送通信により、１対の線で電力及びデータの両方をＤＣ機器５に搬送する。制御ユニット９は、直流系電力線１８を介してＤＣ機器５の直流電源を取得し、ＤＣ分電盤８から信号線２０を介して得る動作指令を基に、どのＤＣ機器５をどのように制御するのかを把握する。そして、制御ユニット９は、指示されたＤＣ機器５に直流供給線路２２を介して直流電圧及び動作指令を出力し、ＤＣ機器５の動作を制御する。
【００２３】
制御ユニット９には、宅内のＤＣ機器５の動作を切り換える際に操作するスイッチ２３が直流供給線路２２を介して接続されている。また、制御ユニット９には、例えば赤外線リモートコントローラからの発信電波を検出するセンサ２４が直流供給線路２２を介して接続されている。よって、ＤＣ分電盤８からの動作指示のみならず、スイッチ２３の操作やセンサ２４の検知によっても、直流供給線路２２に通信信号を流してＤＣ機器５が制御される。
【００２４】
リレーユニット１０には、複数のＤＣ機器５，５…がそれぞれ個別の直流系電力線２５を介して接続されている。リレーユニット１０は、直流系電力線１９を介してＤＣ機器５の直流電源を取得し、ＤＣ分電盤８から信号線２１を介して得る動作指令を基に、どのＤＣ機器５を動作させるのかを把握する。そして、リレーユニット１０は、指示されたＤＣ機器５に対し、内蔵のリレーにて直流系電力線２５への電源供給をオンオフすることで、ＤＣ機器５の動作を制御する。また、リレーユニット１０には、ＤＣ機器５を手動操作するための複数のスイッチ２６が接続されており、スイッチ２６の操作によって直流系電力線２５への電源供給をリレーにてオンオフすることにより、ＤＣ機器５が制御される。
【００２５】
ＤＣ分電盤８には、例えば壁コンセントや床コンセントの態様で住宅に建て付けられた直流コンセント２７が直流系電力線２８を介して接続されている。この直流コンセント２７にＤＣ機器のプラグ（図示略）を差し込めば、同機器に直流電力を直接供給することが可能である。
【００２６】
また、商用交流電源２とＡＣ分電盤１１との間には、商用交流電源２の使用量を遠隔検針可能な電力メータ２９が接続されている。電力メータ２９には、商用電源使用量の遠隔検針の機能のみならず、例えば電力線搬送通信や無線通信の機能が搭載されている。電力メータ２９は、電力線搬送通信や無線通信等を介して検針結果を電力会社等に送信する。
【００２７】
電力供給システム１には、宅内の各種機器をネットワーク通信によって制御可能とするネットワークシステム３０が設けられている。ネットワークシステム３０には、同システム３０のコントロールユニットとして宅内サーバ３１が設けられている。宅内サーバ３１は、インターネットなどのネットワークＮを介して宅外の管理サーバ３２と接続されるとともに、信号線３３を介して宅内機器３４に接続されている。また、宅内サーバ３１は、ＤＣ分電盤８から直流系電力線３５を介して取得する直流電力を電源として動作する。
【００２８】
宅内サーバ３１には、ネットワーク通信による宅内の各種機器の動作制御を管理するコントロールボックス３６が信号線３７を介して接続されている。コントロールボックス３６は、信号線１７を介してコントロールユニット７及びＤＣ分電盤８に接続されるとともに、直流供給線路３８を介してＤＣ機器５を直接制御可能である。コントロールボックス３６には、例えば使用したガス量や水道量を遠隔検針可能なガス／水道メータ３９が接続されるとともに、ネットワークシステム３０の操作パネル４０に接続されている。操作パネル４０には、例えばドアホン子器やセンサやカメラからなる監視機器４１が接続されている。
【００２９】
宅内サーバ３１は、ネットワークＮを介して宅内の各種機器の動作指令を入力すると、コントロールボックス３６に指示を通知して、各種機器が動作指令に準じた動作をとるようにコントロールボックス３６を動作させる。また、宅内サーバ３１は、ガス／水道メータ３９から取得した各種情報を、ネットワークＮを通じて管理サーバ３２に提供可能であるとともに、監視機器４１で異常検出があったことを操作パネル４０から受け付けると、その旨もネットワークＮを通じて管理サーバ３２に提供する。
【００３０】
次に、本実施形態の住宅用分電盤４２について、図２を参照して説明する。
図２に示すように、住宅用分電盤４２は、正面視で略矩形状をなす箱体４３を備え、箱体４３の内部には、ＡＣ分電盤１１、コントロールユニット７、及びＤＣ分電盤８が収容されている。そして、本実施形態では、住宅用分電盤４２が屋内に設置される場合には、箱体４３は、その上面が屋内の天井ＳＬと略平行となるように、屋内の壁面における天井ＳＬの近傍位置に固定されるようになっている。
【００３１】
ＡＣ分電盤１１は、箱体４３内における左方寄りの位置に配置されている。そして、ＡＣ分電盤１１内には、商用交流電源２側となる一次側から順に、リミッタ４４、主幹ブレーカ４５、交流用導電バー４６、及び交流用分岐ブレーカ４７が配置されている。
【００３２】
リミッタ４４は、箱体４３内における左方側の端部に配置されている。そして、リミッタ４４は、商用交流電源２を提供する電力会社との契約に基づいて設定される閾値を超える電流が供給された場合に、商用交流電源２側からＡＣ機器６側への電力の供給を遮断するようになっている。
【００３３】
主幹ブレーカ４５は、リミッタ４４に対して右方に隣接して配置されており、リミッタ４４と略同一の高さに位置している。そして、主幹ブレーカ４５は、ＡＣ機器６側となる二次側において漏電や短絡が発生して異常な電流が流れた場合に、商用交流電源２側からＡＣ機器６側への電流の供給を遮断するようになっている。
【００３４】
交流用導電バー４６は、主幹ブレーカ４５から右方向に水平に延びるように配設されており、商用交流電源２側から供給される交流電力を導電可能に構成されている。そして、交流用導電バー４６には、複数（図２では４つのみ図示）の交流用分岐ブレーカ４７が交流用導電バー４６の上方側から接続されている。
【００３５】
交流用分岐ブレーカ４７は、交流用導電バー４６の長手方向（左右方向）に等間隔に並列して配置されており、各種のＡＣ機器６に個別に対応するように設けられている。そして、交流用分岐ブレーカ４７は、商用交流電源２側から所定の閾値を上回る電流が流れた場合に、商用交流電源２側からＡＣ機器６側への電力の供給を遮断するようになっている。
【００３６】
ここで、ＡＣ機器６側からは屋内の天井裏に二次側電力線４８が配線されており、二次側電力線４８は、天井ＳＬを上下方向に貫通するように形成された貫通孔ＳＬａ（図４（ａ）参照）を通じて天井ＳＬから鉛直下方に延出されている。そして、天井ＳＬから鉛直下方に延出された二次側電力線４８は、箱体４３に形成された配線孔（図示略）を通じて箱体４３の内部に挿入され、各々が対応する交流用分岐ブレーカ４７の接続端子４７ａに個別に接続されている。なお、交流用分岐ブレーカ４７の接続端子４７ａは、屋内の天井ＳＬに対して上下方向に対向するように、交流用分岐ブレーカ４７の上端部に配設されている。
【００３７】
コントロールユニット７は、箱体４３内におけるＡＣ分電盤１１の配置領域よりも下方側に配置されている。また、コントロールユニット７内には、交流用導電バー４６に対して該交流用導電バー４６の下方側から交流系電力線１２を介して接続される電力変換手段としてのＡＣ／ＤＣコンバータ４９が配置されている。そして、ＡＣ／ＤＣコンバータ４９は、商用交流電源２側から交流用導電バー４６を介して送電される交流電力を取り込み、直流電力に変換して出力するようになっている。
【００３８】
また、コントロールユニット７内には、ＡＣ／ＤＣコンバータ４９に対して右方から接続される電力量調整手段としてのＤＣ／ＤＣコンバータ５０が配置されている。そして、ＤＣ／ＤＣコンバータ５０は、ＡＣ／ＤＣコンバータ４９によって変換された直流電力をＤＣ機器５が利用可能な電圧に変圧してＤＣ分電盤８に出力するようになっている。
【００３９】
ＤＣ分電盤８は、箱体４３内におけるコントロールユニット７の配置領域よりも上方側であって且つＡＣ分電盤１１の配置領域に対して右方に隣接する位置に配置されている。そして、ＤＣ分電盤８は、ＡＣ分電盤１１と略同一の高さに位置している。また、ＤＣ分電盤８内には、ＤＣ／ＤＣコンバータ５０に対して直流系電力線１４を介して接続される直流用導電バー５１が配置されている。
【００４０】
直流用導電バー５１は、左右方向に水平に延びるように配設されており、ＤＣ／ＡＣコンバータ４９によって変換された直流電力を導電可能に構成されている。そして、直流用導電バー５１には、複数（図２では４つのみ図示）の直流用分岐ブレーカ５２が直流用導電バー５１の上方側から接続されている。なお、直流用導電バー５１は、ＡＣ分電盤１１の交流用導電バー４６と略同一の高さに位置している。
【００４１】
直流用分岐ブレーカ５２は、直流用導電バー５１の長手方向（左右方向）に等間隔に並列して配置されており、各種のＤＣ機器５に個別に対応するように設けられている。そして、直流用分岐ブレーカ５２は、商用交流電源２側から所定の閾値を上回る電流が流れた場合に、商用交流電源２側からＤＣ機器５側への電力の供給を遮断するようになっている。
【００４２】
ここで、ＤＣ機器５側からは屋内の天井裏に二次側電力線５３が配線されており、二次側電力線５３は、天井ＳＬを上下方向に貫通するように形成された貫通孔ＳＬａを通じて天井ＳＬから鉛直下方に延出されている。そして、天井ＳＬから鉛直下方に延出された二次側電力線５３は、箱体４３に形成された配線孔（図示略）を通じて箱体４３の内部に挿入され、各々が対応する直流用分岐ブレーカ５２の接続端子５２ａに個別に接続されている。なお、直流用分岐ブレーカ５２の接続端子５２ａは、屋内の天井ＳＬに対して上下方向に対向するように直流用分岐ブレーカ５２の上端部に配設されている。
【００４３】
次に、上記のように構成された住宅用分電盤４２の作用について、特に、二次側電力線５３を直流用分岐ブレーカ５２に接続する際の作用に着目して以下説明する。なお、二次側電力線４８を交流用分岐ブレーカ４７に接続する際も同様の作用となるため、以下説明は省略するものとする。
【００４４】
さて、図３（ａ）に示すように、比較例の住宅用分電盤１４２においては、二次側電力線５３が接続される直流用分岐ブレーカ５２がＤＣ／ＤＣコンバータ５０よりも下方側に配置されているとする。この場合、直流用分岐ブレーカ５２に対して二次側電力線５３を接続する際には、図３（ｂ）に示すように、まず、二次側電力線５３を箱体４３に形成された配線孔を通じて箱体４３の内部に挿入する。そして、箱体４３内におけるＤＣ／ＤＣコンバータ５０と箱体４３の後壁面との間の隙間を通すように二次側電力線５３を引き回して、直流用分岐ブレーカ５２の下端部に形成された接続端子５２ａに接続する。すなわち、箱体４３内では、ＤＣ／ＤＣコンバータ５０を避けるように二次側電力線５３を引き回す必要があるため、箱体４３内における二次側電力線５３の引き回し作業が煩雑となり、住宅用分電盤４２の施工性を低下させるという問題があった。特に、住宅用分電盤１４２に対して、ＡＣ機器６側から延びる二次側電力線４８、及び、ＤＣ機器５側から延びる二次側電力線５３の双方を接続する場合には、住宅用分電盤１４２に対して接続される二次側電力線４８，５３の本数が多くなるため、このような問題が顕著に生じることとなる。
【００４５】
この点、本実施形態の住宅用分電盤４２によれば、図４（ａ）に示すように、二次側電力線５３が接続される直流用分岐ブレーカ５２がＤＣ／ＤＣコンバータ５０よりも上方側に配置されている。また、直流用分岐ブレーカ５２の接続端子５２ａは、二次側電力線５３が延出される天井ＳＬの近傍位置に配置されている。そして、直流用分岐ブレーカ５２に対して二次側電力線５３を接続する際には、図４（ｂ）に示すように、二次側電力線５３を箱体４３に形成された配線孔を通じて箱体４３の内部に挿入した後、直流用分岐ブレーカ５２の接続端子５２ａに接続する。この場合、箱体４３内には、箱体４３の配線孔と直流用分岐ブレーカ５２の接続端子５２ａとの間の空間域を遮る部材が無いため、箱体４３内における二次側電力線５３の引き回し作業が簡素となる。したがって、住宅用分電盤４２として、ＡＣ機器６側から延びる二次側電力線４８、及び、ＤＣ機器５側から延びる二次側電力線５３の双方を接続する構成を採用した場合であっても、住宅用分電盤４２の施工性が低下することが抑制されるようになっている。
【００４６】
上記実施形態によれば、以下のような効果を得ることができる。
（１）箱体４３が屋内の天井ＳＬの近傍に設置されると、ＡＣ分電盤１１及びＤＣ分電盤８と屋内の天井ＳＬとが近接する。そのため、ＡＣ機器６側及びＤＣ機器５側から屋内の天井裏に配線される二次側電力線４８，５３を天井ＳＬから垂らせてＡＣ分電盤１１及びＤＣ分電盤８に対して容易に接続させることができる。したがって、住宅用分電盤４２の施工性の低下を抑制しつつ、ＡＣ機器６及びＤＣ機器５の双方に電力を分電することができる。
【００４７】
（２）箱体４３が屋内の天井ＳＬの近傍に設置されると、ＡＣ分電盤１１及びＤＣ分電盤８は、各々が対応する二次側電力線４８，５３に対して接続される分岐ブレーカ４７，５２の接続端子４７ａ，５２ａと屋内の天井ＳＬとが近接する。そのため、天井ＳＬから垂らす二次側電力線４８，５３の長さを短縮することができるため、二次側電力線４８，５３が扱い易くなると共に、二次側電力線４８，５３の製造コストを削減することができる。
【００４８】
（３）箱体４３が屋内の天井ＳＬの近傍に設置されると、箱体４３内において屋内の天井ＳＬから離間する領域にコントロールユニット７が配置されることとなる。そのため、箱体４３内において屋内の天井ＳＬに近接する領域をＡＣ分電盤１１及びＤＣ分電盤８の設置スペースとして活用することができる。
【００４９】
（４）交流用分岐ブレーカ４７の接続端子４７ａ、及び、直流用分岐ブレーカ５２の接続端子５２ａは、箱体４３に形成された配線孔の近傍位置に配置される。そのため、箱体４３内において、箱体４３の配線孔と各分岐ブレーカ４７，５２の接続端子４７ａ，５２ａとの間の空間域を遮る部材がない。したがって、二次側電力線４８，５３を箱体４３の配線孔を通じて箱体４３の内部に挿入して、各分岐ブレーカ４７，５２の接続端子４７ａ，５２ａに対して容易に接続することができる。
【００５０】
なお、上記実施形態は以下のように変更してもよい。
・上記実施形態において、コントロールユニット７は、ＤＣ／ＤＣコンバータ５０を省略した構成としてもよい。この場合、直流用導電バー５１からＤＣ機器５に向けて延びる電力線の途中位置に、ＤＣ／ＤＣコンバータをＤＣ機器５毎に個別に設ける構成とすることが望ましい。
【００５１】
・上記実施形態において、交流用分岐ブレーカ４７の接続端子４７ａは、箱体４３内におけるＡＣ分電盤１１の配置領域の上部に位置する配置構成であれば、交流用分岐ブレーカ４７の側部に配置される構成としてもよい。
【００５２】
・上記実施形態において、直流用分岐ブレーカ５２の接続端子５２ａは、箱体４３内におけるＤＣ分電盤８の配置領域の上部に位置する配置構成であれば、直流用分岐ブレーカ５２の側部に配置される構成としてもよい。
【００５３】
・上記実施形態において、ＡＣ機器６側から延びる二次側電力線４８、及び、ＤＣ機器５側から延びる二次側電力線５３は、天井ＳＬの近傍に位置する屋内の壁面から延出させる構成としてもよい。
【００５４】
・上記実施形態において、ＡＣ分電盤１１及びＤＣ分電盤８は、箱体４３内においてコントロールユニット７よりも上方に配置されるのであれば、箱体４３内において高さが互いに異なるように配置される構成としてもよい。
【符号の説明】
【００５５】
５…直流機器としてのＤＣ機器、６…交流機器としてのＡＣ機器、８…直流電力分電手段としてのＤＣ分電盤、１１…交流電力分電手段としてのＡＣ分電盤、４２…住宅用分電盤、４３…箱体、４６…交流用導電バー、４７…交流用分岐ブレーカ、４７ａ…接続端子、４８…二次側電力線、４９…電力変換手段としてのＡＣ／ＤＣコンバータ、５０…電力量調整手段としてのＤＣ／ＤＣコンバータ、５１…直流用導電バー、５２…直流用分岐ブレーカ、５２ａ…接続端子、５３…二次側電力線、１４２…住宅用分電盤。
【図１】
2011101528.tif 000003
【図２】
2011101528.tif 000004
【図３】
2011101528.tif 000005
【図４】
2011101528.tif 000006